(57)【要約】【課題】初期登録用シートを使用することなく撮像された画像の明るさを補正することの可能なイメージスキャナシステム及びイメージスキャナ装置を提供することを目的とする。【解決手段】イメージスキャナ装置１１のマット部１５上に表示部１６を設け、表示部１６の矩形部１６ａを白表示してカメラ部１３で撮像し、得られた画像に対して上位装置１２で明るさの補正パラメータを計算する。計算して得られた補正パラメータは運用時において撮像対象を撮像して得られる画像の明るさを補正するのに用いる。運用時において表示部１６の矩形部１６ａは黒表示され、その上に帳票等の撮像対象が載置される。【選択図】  図１
2008061170.tif 000002
【特許請求の範囲】
【請求項１】
所定の色の基準撮像対象を撮像するイメージスキャナ装置と、該イメージスキャナ装置で得られた画像に基づいて明るさ補正パラメータを計算する補正パラメータ計算手段を有する制御装置とから構成されるイメージスキャナシステムにおいて、
前記所定の色を表示可能な表示手段を前記イメージスキャナ装置に設け，
前記所定の色に表示した表示手段を前記基準撮像対象として前記イメージスキャナ装置で撮像し、得られた画像に基づいて前記パラメータ計算手段により明るさ補正パラメータを計算し、
撮像対象の撮像時は、他の色に表示した前記表示手段上に載置した撮像対象を前記イメージスキャナ装置で撮像し、得られた画像の明るさを、前記制御装置により、前記補正パラメータ計算手段で求めた明るさ補正パラメータで補正することを特徴とするイメージスキャナシステム。
【請求項２】
前記表示手段は、撮像対象の撮像時に撮像対象の載置位置を指示する請求項１記載のイメージスキャナシステム。
【請求項３】
所定の色の基準撮像対象を撮像するイメージスキャナ装置と、該イメージスキャナ装置で得られた画像に基づいて明るさ補正パラメータを計算する補正パラメータ計算手段を有する制御装置とから構成されるイメージスキャナシステムにおいて、
前記所定の色を表示可能な表示手段を前記イメージスキャナ装置に設け，
前記所定の色に表示した表示手段を前記基準撮像対象として前記イメージスキャナ装置で撮像し、得られた画像に基づいて前記パラメータ計算手段により明るさ補正パラメータを計算することを特徴とするイメージスキャナシステム。
【請求項４】
撮像対象の撮像時に、前記表示手段は操作者用の操作手順を表示する請求項３記載のイメージスキャナシステム。
【請求項５】
撮像対象の撮像時に、前記表示手段は非操作者用の文言を表示する請求項３記載のイメージスキャナシステム。
【請求項６】
撮像対象の撮像時に、前記表示手段は撮像対象を外部から遮るように配置される請求項３、４または５記載のイメージスキャナシステム。
【請求項７】
所定の色の基準撮像対象を撮像し、該基準撮像対象を撮像して得られた画像に基づいて明るさ補正パラメータを計算する制御装置に接続されたイメージスキャナ装置において、
前記所定の色を表示可能な表示手段を設け、
前記所定の色を表示した前記表示手段を前記基準撮像対処として撮像し、得られた画像を前記制御装置へ送ることを特徴とするイメージスキャナ装置。
【請求項８】
撮像対象からの反射光を取り込むことにより撮像対象の撮像をカメラ部で取得するイメージスキャナ装置において、
前記カメラ部に対向して設けられ、撮像対象の撮像時に該撮像対象が載置され、撮像の背景色に均一に表示する表示手段を設けたことを特徴とするイメージスキャナ装置。
【発明の詳細な説明】
【技術分野】
【０００１】
本発明は、撮像対象の画像を読取るイメージスキャナ装置および該イメージスキャナ装置と該装置を制御する制御装置とからなるイメージスキャナシステムに関する。
【背景技術】
【０００２】
従来、撮像対象を読取るイメージスキャナ装置として、環境光を利用して撮像対象の画像を撮像するスタンド型イメージスキャナ装置が知られている。従来のこの種のイメージスキャナ装置は、マット部の所定の位置に載置された原稿等の撮像対象をその上方に配置されたカメラ部で撮像する方式となっている。この種のイメージスキャナ装置は、照明装置を具備しておらず環境光を利用して撮像するので、装置が設置される環境により撮像対象に照射される光量が一定せずに、撮像された画像の明るさが均一にならないという問題がある。
【０００３】
この問題を解決するために例えば特開２００５−１２４６７号公報には、画像読取装置の足に、被写体の明るさを検出する明るさ検出器を設け、画像読取装置は明るさ検出器から検出される被写体の明るさに基づいてその画像の明るさを一様に明るさ補正することが記載されている。しかしながらこの公報に記載の装置は、光検出デバイスからなる明るさ検出器を設けなければならず、装置のコストアップになるという問題がある。
【０００４】
これに対して明るさ検出器を設けずに画像の明るさを補正する他のイメージスキャナ装置が知られている。図１１は他のイメージスキャナ装置を示す斜視図である。図１１において、イメージスキャナ装置１はカメラ部２、スタンド部３およびマット部４から構成される。カメラ部２はマット部４に載置される撮像対象を撮像する。マット部１は撮像対象が載置される場所であり、撮像された画像上で撮像対象と背景との分離を容易にするために黒色をしている。
【０００５】
イメージスキャナ装置１はインタフェース部５により図示しない上位装置に接続されており、上位装置はカメラ部２の制御を行う。またカメラ部２で撮像された画像は上位装置へ送られる。初期登録用シート６は、イメージスキャナ装置１が設置された環境における環境光に応じて、撮像される画像の明るさを補正するための初期登録を行う際に使用するものである。
【０００６】
即ち、実際の撮像対象を撮像する前に、初期登録用シート６をマット部４上に載置し、カメラ部２で初期登録用シート６を撮像して得られた画像を上位装置へ送る。上位装置では送られてきた画像に基づいて明るさを補正し、補正パラメータを計算する。そして実際の撮像対象を撮像する場合に、補正パラメータで撮像対象の画像の明るさを補正するのである。
【０００７】
【特許文献１】特開２００５−１２４６７号公報
【発明の開示】
【発明が解決しようとする課題】
【０００８】
しかしながら上記従来のイメージスキャナ装置においては、装置を新たに設置したり装置を移設したりする場合、操作者が初期登録用シートを所定の場所に載置して画像の明るさの補正パラメータを求める初期登録を行う必要があるが、その場合に、初期登録用シートの載置位置がずれていたり、あるいは初期登録用シートが汚れていたり折れ目が付いていたりすると、正確な明るさ補正パラメータを算出することができないという問題がある。こうした事態を避けるためには初期登録用シートを厳重に管理する必要があるが、厳重な管理は装置利用者に新たな負担を強いることになる。
【０００９】
そこで本発明は、初期登録用シートを使用することなく撮像された画像の明るさを補正することの可能なイメージスキャナシステム及びイメージスキャナ装置を提供することを目的とする。
【課題を解決するための手段】
【００１０】
上記課題を解決するために本発明は、所定の色の基準撮像対象を撮像するイメージスキャナ装置と、該イメージスキャナ装置で得られた画像に基づいて明るさ補正パラメータを計算する補正パラメータ計算手段を有する制御装置とから構成されるイメージスキャナシステムにおいて、前記所定の色を表示可能な表示手段を前記イメージスキャナ装置に設け、前記所定の色に表示した表示手段を前記基準撮像対象として前記イメージスキャナ装置で撮像し、得られた画像に基づいて前記パラメータ計算手段により明るさ補正パラメータを計算し、撮像対象の撮像時は、他の色に表示した前記表示手段上に載置した撮像対象を前記イメージスキャナ装置で撮像し、得られた画像の明るさを、前記制御装置により、前記補正パラメータ計算手段で求めた明るさ補正パラメータで補正することを特徴とするものである。
【００１１】
また本発明は、所定の色の基準撮像対象を撮像するイメージスキャナ装置と、該イメージスキャナ装置で得られた画像に基づいて明るさ補正パラメータを計算する補正パラメータ計算手段を有する制御装置とから構成されるイメージスキャナシステムにおいて、前記所定の色を表示可能な表示手段を前記イメージスキャナ装置に設け、前記所定の色に表示した表示手段を前記基準撮像対象として前記イメージスキャナ装置で撮像し、得られた画像に基づいて前記パラメータ計算手段により明るさ補正パラメータを計算することを特徴とするものである。
【発明の効果】
【００１２】
本発明によれば、所定の色の表示した表示手段を基準撮像対象としてイメージスキャナ装置で撮像するので、初期登録用シートを使用せずに済み、表示手段を撮像して得られた画像に基づいて補正パラメータ計算手段で明るさ補正パラメータを求めるので、環境光に応じて画像を明るさを補正することができる。
【発明を実施するための最良の形態】
【００１３】
以下、本発明の実施の形態を図面にしたがって説明する。各図面に共通する要素には同一の符号を付す。図１は第１の実施の形態のイメージスキャナシステムを示す構成図である。図１において、第１の実施の形態のイメージスキャナシステム１０は、イメージスキャナ装置１１と上位装置１２とから構成される。イメージスキャナ装置１１は、カメラ部１３、スタンド部１４、マット部１５および表示部１６で構成される。イメージスキャナ装置１１はインタフェース部１７により上位装置１２に接続されている。
【００１４】
カメラ部１３は表示部１６上に載置される撮像対象を撮像し、撮像した画像はインタフェース部１７を介して上位装置１２へ送られる。スタンド部１４はマット部１５に取り付けられ、カメラ部１３を所定の高さに支持する。表示部１６は反射型液晶ディスプレイで構成され、その上部には撮像対象が載置される。表示部１６は所定の位置（矩形で示す位置で、以下矩形部という）１６ａを黒色と白色に表示することができるものである。即ち、表示部１６に電源投入することにより矩形部１６ａが白色に表示され、電源をオフすることにより矩形部１６ａが黒色となるよう構成されている。表示部１６は上位装置１２により制御され、マット部１５上に載置される。上位装置１２は制御装置１８、入力装置１９および表示装置２０とから構成される。
【００１５】
図２は第１の実施の形態のイメージスキャナシステムを示すブロック図である。図２において、イメージスキャナ装置１１はカメラ部１３と表示部１６を有する。一方、上位装置１２では、制御装置１８に入力装置１９および表示装置２０が接続されている。制御装置１８にはイメージスキャナシステム全体を制御する制御部２１のほかに、補正パラメータ計算部２２および画像補正部２３が具備されている。
【００１６】
補正パラメータ計算部２２は、イメージスキャナ装置１１のカメラ部１３で撮像した画像の明るさを補正するための明るさ補正パラメータを計算する。画像補正部２３は、補正パラメータ計算部２２で求められた明るさ補正パラメータに基づいて、撮像対象の画像の明るさを補正するものである。
【００１７】
次に第１の実施の形態の動作を説明する。ここでは画像の明るさを補正するための初期登録を行う動作を図３に示すフローチャートにしたがって説明する。図３は第１の実施の形態の初期登録動作を示すフローチャートである。まず利用者が入力装置１９を操作して初期登録のアプリケーションを起動する（ステップ１）。これにより上位装置１２の制御装置１８によりイメージスキャナ装置１１に対して初期登録の指示を出す（ステップ２）。
【００１８】
制御装置１８の指示はインタフェース部１７を介してイメージスキャナ装置１１のカメラ部１３及び表示部１６に通知される。これにより表示部１６は矩形部１６ａを白表示する（ステップ３）。またカメラ部１３は撮像を行い、白表示された表示部１６の矩形部１６ａを撮像する（ステップ４）。カメラ部１３で撮像した画像はインタフェース部１７を介して上位装置１２の制御装置１８へ送られる（ステップ５）。
【００１９】
制御装置１８では補正パラメータ計算部２２で送られてきた画像の明るさの補正パラメータを計算する（ステップ６）。ここで補正パラメータの計算例を説明する。図４は初期登録における画像の例を示す説明図である。図４において、（ａ）は明るさ補正を実施するための均質な明るさを持った白表示された表示部１６の矩形部１６ａであり、環境光により影響されていない状態を示す。図４（ｂ）は環境光により影響された白表示された矩形部１６ａを示すもので、この例では環境光により画像上の右上側が暗くなっている。
【００２０】
説明の例として、初期登録時にカメラ部１３で撮像された画像は図４（ｂ）に示す画像であるとする。したがって図４（ｂ）に示す画像が制御装置１８に取り込まれ、補正パラメータ計算部２２は図４（ｂ）に示す画像に対する明るさ補正パラメータを計算する。明るさ補正パラメータは撮像画像における明るい部分を暗くし、暗い部分を明るくするような値に設定される。したがって図４（ｂ）に示す画像に対する補正パラメータは、図４（ｃ）に示すようになる。
【００２１】
図４（ｃ）に示す明るさ補正パラメータは、図４（ｂ）の画像の右上の暗部を明るくなるように補正するために、この部分には輝度を相対的に高くするパラメータを設定し、図４（ｂ）の画像の左下の明部を相対的に暗くするように補正するために、この部分には輝度を相対的に低くするパラメータを設定する。なお図４（ｃ）において、画像の輝度を相対的に高くするパラメータを白で示し、輝度を相対的に低くするパラメータを黒で示している。図４（ｃ）の明るさ補正パラメータで、撮像画像の明るさを補正することにより、図４（ｂ）に示すような、明るさが不均一に撮像される環境での撮像画像においても画像領域の全域を均質な明るさに補正することが可能となる。求められた明るさ補正パラメータは、制御装置１８内の図示しない記憶部に記憶される（ステップ７）。
【００２２】
以上により初期登録を終了する。初期登録が終了すると、通常運用状態になり、表示部１６は表示がオフされて矩形部１６ａは背景色の黒色になる。運用時には撮像対象が黒色の表示部１６上に載置されて撮像が行われる。そして撮像対象を撮像して得られた画像に対して、記憶してある明るさ補正パラメータにより明るさを補正する。
【００２３】
図５は極端な環境光条件下における明るさ補正の例を示す。図５（ａ）は極端な環境光条件下における撮像画像を示す。この例では画像の右上部が黒に飽和しているものとする。このような画像のままでは飽和部に対して適正な明るさ補正をすることはできない。そこでカメラ部１３のゲインを黒飽和しないレベルまで上げる。具体的には例えば、カメラ部１３に具備されるイメージセンサの出力信号を増幅する増幅器のゲインを、撮像対象の輝度に応じて黒飽和しないレベルまで上げるようにする。これにより図５（ａ）の画像の右上部の明るさ補正が可能になる。
【００２４】
図５（ｂ）に示す画像は、左下部が白飽和して適正な明るさ補正ができない例である。この場合には、反射型液晶ディスプレイである表示部１６を制御し、その反射率を制限する。即ち、表示のグレー濃度と反射率との関係を予め求めておき、白飽和しないレベルまでグレー濃度を変化させた後に撮像を行う。この場合の撮像結果を図５（ｃ）に示す。図５（ｃ）においては、左下部が白飽和状態ではなくなっている。
【００２５】
以上のように第１の実施の形態では、撮像対象を載置するマット部１５上に表示部１６を設け、初期登録時に白表示してカメラ部１３で撮像し、撮像した画像に基づいて明るさ補正パラメータを計算するようにしたので、専用の初期登録用シートを用いることなく、明るさ補正パラメータを求めることができる。
【００２６】
なお上記実施の形態ではマット部１５上に表示部１６を設けるようにしたが、マット部１５は必ずしも必要ではなく、表示部１６のみ単独で設けるようにしてもよい。
【００２７】
また上記実施の形態では初期登録時に表示部１６の矩形部１６ａを白表示させて明るさ補正パラメータを求めるようにしているが、装置を新たに設置したり装置を移設したりする場合の初期登録時に限らず、定期的に明るさ補正パラメータを求めるようにしてもよい。例えば、システムへの電源投入時あるいは週１回毎に明るさ補正パラメータを求めるようにしてもよい。
【００２８】
次に第２の実施の形態を説明する。図６は第２の実施の形態のイメージスキャナシステムを示す斜視図である。図６において、第２の実施の形態のイメージスキャナシステム３０は、第１の実施の形態と同様に、イメージスキャナ装置１１のマット部１５の上に表示部３１を設けている。表示部３１は反射型液晶ディスプレイで構成され、明るさ補正パラメータを求める際には矩形部３１ａを白表示し、通常運用時は矩形部３１ａを黒表示する。明るさ補正パラメータの求め方は前記第１の実施の形態と同様である。
【００２９】
また通常運用時においては、撮像対象が載置される矩形部３１ａに、該運用時に撮像される撮像対象である帳票の種類またはサイズに合わせて、枠３２が表示される。枠３２は装置利用者に対して、帳票の載置位置を示す。使用者は枠３２の位置を見てこれから撮像する帳票の適正な載置位置を目視することができる。枠３２の表示の仕方として、載置される帳票の四辺を線で示す表示に限らず、帳票の四隅を鈎状に表示する仕方でもよい。
【００３０】
以上のように第２の実施の形態においては、運用時に帳票等の撮像対象の種類またはサイズに応じて表示部３１の矩形部３１ａに枠３２を表示するようにしたので、利用者は撮像対象の載置位置を目視確認でき、適正な撮像対象の載置が可能になる効果が得られる。
【００３１】
次に第３の実施の形態を説明する。図７は第３の実施の形態のイメージスキャナシステムを示す斜視図である。図７において、第３の実施の形態のイメージスキャナシステム４０では、イメージスキャナ装置１１に表示部４１を設けている。表示部４１は反射型液晶ディスプレイで構成され、マット部１５上に設けられるとともにマット部１５とコンバーチブル型ヒンジ４２により回転可能に結合されている。その他の構成は前記第２の実施の形態と同様である。
【００３２】
第１の実施の形態と同様に、明るさ補正パラメータを求める際には表示部４１の矩形部４１ａを白表示し、通常運用時は矩形部４１ａを黒表示する。また明るさ補正パラメータの求め方は前記第１の実施の形態と同様である。第３の実施の形態においては、運用時の表示部４１の使用方法として図８、図９及び図１０に示す使用方法がある。
【００３３】
図８は表示部４１の第１の使用例を示す斜視図である。図８は表示部４１をマット部１５と並べるように配置して表示部４１の矩形部４１ａがシステムの利用者から目視できるように構成した例を示す。表示部４１の矩形部４１ａには、利用者に対する操作ガイダンス等が表示され、利用者は表示されたガイダンス等を見ながらスキャナ装置１１を操作することができる。この場合は撮像対象としての帳票４３はマット部１５上に載置される。
【００３４】
図９は表示部４１の第２の使用例を示す斜視図である。この使用例は、表示部４１を、矩形部４１ａをマット部１５側にして、衝立になるようにマット部１５に対してほぼ直角に立てた状態にした例である。表示部４１の矩形部４１ａには利用者用の操作ガイダンス等を表示する。このように構成することにより、表示部４１が衝立としてマット部１５上に載置された帳票４３に対する外部からの目隠し効果が発生する。
【００３５】
図９に示す例の場合、初期登録時においては、表示部４１を寝かせた状態にして明るさ補正パラメータを求めるので、運用時における衝立としての表示部４１に相当するものが存在しない。そのため環境光条件が運用時とは異なる。環境光条件を運用時と同じにするために、同様の位置に同等の大きさの衝立を設置することが望ましい。また表示部４１を衝立状態に保持するための保持機構を設けるようにしてもよい。
【００３６】
図１０は表示部４１の第３の使用例を示す斜視図である。この使用例は第２の使用例と同様に、表示部４１を衝立として使用するとともに、矩形部４１ａをマット部１５側ではなく、外側に配置するようにしたものである。表示部４１の矩形部４１ａにはイメージスキャナ装置１１を操作する利用者以外の者に対するメッセージを表示する。このように構成することにより、帳票４３の目隠し効果とともに外部の者に対して任意のメッセージを伝達することが可能である。
【００３７】
図１０に示す使用例の場合も環境光条件を初期登録時と運用時とで同じにするために別に衝立を設けてもよいし、また表示部４１を保持するための保持機構を設けるようにしてもよい。
【００３８】
以上のように第３の実施の形態によれば、運用時にシステム利用者に使用方法等の説明を示すことが可能である。また表示部４１を衝立状にしたことにより、システム利用者以外の者から撮像対象の帳票が見られにくくなる効果が得られる。さらに運用時に実際のシステム利用者以外の者に見られるように、表示部４１にメッセージを表示可能にしたので、メッセージボードとしての有効活用ができる効果もある。
【００３９】
上記各実施の形態においては、表示部として反射型液晶ディスプレイを用いる例を示したが、これに限らず例えば半透過型液晶ディスプレイを用いても同様の効果が得られ、さらに周辺が暗い設置環境においても適用可能である。
【図面の簡単な説明】
【００４０】
【図１】第１の実施の形態のイメージスキャナシステムを示す構成図である。
【図２】第１の実施の形態のイメージスキャナシステムを示すブロック図である。
【図３】第１の実施の形態の初期登録動作を示すフローチャートである。
【図４】初期登録における画像の例を示す説明図である。
【図５】極端な環境光条件下における明るさ補正の例を示す説明図である。
【図６】第２の実施の形態のイメージスキャナシステムを示す斜視図である。
【図７】第３の実施の形態のイメージスキャナシステムを示す斜視図である。
【図８】表示部の第１の使用例を示す斜視図である。
【図９】表示部の第２の使用例を示す斜視図である。
【図１０】表示部の第３の使用例を示す斜視図である。
【図１１】明るさ検出器を設けないイメージスキャナ装置を示す斜視図である。
【符号の説明】
【００４１】
１０、３０、４０  イメージスキャナシステム
１１  イメージスキャナ装置
１２  上位装置
１３  カメラ部
１６、３１、４１  表示部
１６ａ、３１ａ、４１ａ  矩形部
２２  補正パラメータ計算部
３２  枠
４３  帳票
【図１】
2008061170.tif 000003
【図２】
2008061170.tif 000004
【図３】
2008061170.tif 000005
【図６】
2008061170.tif 000006
【図７】
2008061170.tif 000007
【図８】
2008061170.tif 000008
【図９】
2008061170.tif 000009
【図１０】
2008061170.tif 000010
【図１１】
2008061170.tif 000011
【図４】
2008061170.tif 000012
【図５】
2008061170.tif 000013